(57)【特許請求の範囲】
【請求項１】
受信したＲＦ信号の搬送波レベルに対応したＲＳＳＩ出力を得るＲＳＳＩ生成回路と、  温度センサーからの温度情報に基づいて、前記温度情報に対応した閾値を読み出すルックアップテーブルと、
前記ルックアップテーブルから読み出された閾値に基づく値を一方の入力とし、前記ＲＳＳＩ生成回路からのＲＳＳＩ出力を他方の入力として、前記閾値に基づく値に対して、ＲＳＳＩ出力が下回った時に比較出力を発生する比較回路と、
前記比較回路からの比較出力に基づいて、前記ＲＦ信号を復調した音声信号の信号路を閉じて、前記音声信号の出力を遮断するミュート回路と、
が備えられ、
前記ルックアップテーブルには、ワイヤレス受信機が利用される実用温度範囲を複数段階にわけて、複数段階にわけられた温度範囲に対応して、前記閾値がそれぞれ格納されると共に、前記ルックアップテーブルから読み出された閾値を利用して、線形補完した値を比較回路の前記一方の入力としたことを特徴とするワイヤレス受信機。
【請求項２】
前記温度センサーに、サーミスタを用いたことを特徴とする請求項１に記載のワイヤレス受信機。
【請求項３】
前記ＲＳＳＩ出力の温度に対する傾きと、前記ルックアップテーブルの温度情報に対応した閾値に基づく値の傾きは同じであることを特徴とする請求項１または請求項２に記載のワイヤレス受信機。
【発明の詳細な説明】
【技術分野】
【０００１】
この発明は、例えばワイヤレスマイクロホンからの電波を受けて音声信号を復調するワイヤレス受信機に関し、特に受信機の温度依存性により受信到達距離（ワイヤレスマイクロホンと受信機との組み合わせシステムの使用可能エリア）が変動するのを防止し得るワイヤレス受信機に関する。
【背景技術】
【０００２】
例えばワイヤレスマイクロホンから送信されたＲＦ変調信号（以下、ＲＦ信号と言う。）を受けて、音声信号を復調するワイヤレス受信機は、ワイヤレスマイクロホン側からのＲＦ信号（特にＦＭＲＦ信号）の送信が停止された時、もしくは前記ＲＦ信号の受信状態が悪化した場合に、聴感上不快な雑音が生成される。
このような雑音を除去するためにこの種のワイヤレス受信機には、ミュート回路（スケルチ回路とも言う。）が備えられている。
【０００３】
このミュート回路の一つに、受信したＲＦ信号のレベルに応じて復調信号の信号路を開閉するＲＦミュート回路が提案されている。このＲＦミュート回路は、受信したＲＦ信号のレベルが、予め定められた閾値よりも下回った時に、復調した音声信号の信号路を閉じて音声信号の出力を絞るように動作する。
すなわち、前記ＲＦミュート回路を動作させるには、受信したＲＦ信号のレベルに応じた情報（ＲＳＳＩ  Ｒｅｃｅｉｖｅｄ  Ｓｉｇｎａｌ  Ｓｔｒｅｎｇｔｈ  Ｉｎｄｉｃａｔｉｏｎ：信号受信強度）を得る手段と、このＲＳＳＩの値と予め定められた閾値とを比較する比較手段とが備えられる。
【０００４】
しかしながら、前記ＲＳＳＩの値は、ＲＦ増幅回路やローカル発振回路を含むフロントエンド等の温度に大きく依存し、したがってこの温度依存性を有するＲＳＳＩを利用する前記したミュート回路によると、ミュート回路の動作点は当然ながら前記温度によって変動することになる。このために、ワイヤレスマイクロホンとワイヤレス受信機との組み合わせシステムの受信到達距離（使用可能エリア）が、動作温度によって変動する（ばらつく）ものとなっていた。
このような温度依存性を抑えるために、前記ＲＳＳＩの値を動作温度に対応して補正する等の対策を施したワイヤレス受信機が提案されており、これは次に示す先行技術文献に開示されている。
【先行技術文献】
【特許文献】
【０００５】
【特許文献１】特開２００６−２７０９０２号公報
【特許文献２】特開２０１４−０１７７８２号公報
【０００６】
前記特許文献１に開示された受信機によると、温度に応じて出力電流値が変化する定電流回路を利用し、前記ＲＳＳＩの温度依存性を補正するものであり、これにより温度に応じてミュート回路の動作点がばらつくのを抑えようとするものである。
また、前記特許文献２に開示された受信機によると、フロントエンドに温度に依存して利得が変化するサーミスタを含む補正回路を配置するものであり、これにより同様にＲＳＳＩの温度依存性を補正し、ミュート回路の動作点のばらつきを抑えるものである。
【０００７】
すなわち、これらはいずれも温度依存性を有するＲＳＳＩの出力を、同じく温度依存性を有する定電流回路やサーミスタを含む回路で補正し、補正したＲＳＳＩの値（電圧値）を比較回路に加えて、固定のミュート基準電圧（閾値電圧）と比較するものである。
図８は、この従来の受信機におけるミュート動作を説明するグラフであり、左縦軸はミュート基準電圧を、また右縦軸はＲＳＳＩ電圧を示しており、横軸は動作温度を示している。そして特性ａは温度依存性を補正する前のＲＳＳＩの出力特性を示しており、特性ｂは温度依存性を補正した後のＲＳＳＩの出力特性の例を示している。また破線で示すｃは、固定のミュート基準電圧（閾値電圧）を示している。
【０００８】
ところで、この種のワイヤレス受信機が用いられる実用温度範囲内において、前記先行技術文献に示すように定電流回路等を用いて、前記補正前のＲＳＳＩの特性ａについて、その温度特性を完全に抑えるように補正することは極めて難しい。すなわち、前記ＲＳＳＩの値は補正した出力特性ｂに示すような勾配曲線になる例が多い。
この例によると、補正前の出力ａによるミュート動作の実行温度ｔ１に比較して、補正後の出力ｂによるミュート動作の実行温度はｔ２まで上昇し、実質的に受信到達距離は拡張される。しかしながら、補正後の出力ｂにおいて、温度ｔ２ではミュート動作が実行されるものの温度ｔ１ではミュート動作が実行されず、受信到達距離（システムの使用可能エリア）が、温度によって変動することになる。
【発明の概要】
【発明が解決しようとする課題】
【０００９】
この発明は前記した技術的な観点に基づいてなされたものであり、温度特性を有する前記ＲＳＳＩ出力をミュート動作に利用しつつ、温度の変化に対する受信到達距離（システムの使用可能エリア）の変動を抑制して、安定したミュート動作を保証することができるワイヤレス受信機を提供することを課題とするものである。
【課題を解決するための手段】
【００１０】
前記した課題を解決するためになされたこの発明に係るワイヤレス受信機は、受信したＲＦ信号の搬送波レベルに対応したＲＳＳＩ出力を得るＲＳＳＩ生成回路と、温度センサーからの温度情報に基づいて、前記温度情報に対応した閾値を読み出すルックアップテーブルと、前記ルックアップテーブルから読み出された閾値に基づく値を一方の入力とし、前記ＲＳＳＩ生成回路からのＲＳＳＩ出力を他方の入力として、前記閾値に基づく値に対して、ＲＳＳＩ出力が下回った時に比較出力を発生する比較回路と、前記比較回路からの比較出力に基づいて、前記ＲＦ信号を復調した音声信号の信号路を閉じて、前記音声信号の出力を遮断するミュート回路とが備えられ、前記ルックアップテーブルには、ワイヤレス受信機が利用される実用温度範囲を複数段階にわけて、複数段階にわけられた温度範囲に対応して、前記閾値がそれぞれ格納されると共に、前記ルックアップテーブルから読み出された閾値を利用して、線形補完した値を比較回路の前記一方の入力としたことを特徴とする。
【００１３】
そして、この発明に係るワイヤレス受信機には、前記温度センサーにサーミスタを用いた回路構成を好適に採用することができる。
また、前記したＲＳＳＩ出力の温度に対する傾きと、前記ルックアップテーブルの温度情報に対応した閾値に基づく値の傾きは同じに設定される。
【発明の効果】
【００１４】
前記した構成のワイヤレス受信機によると、受信したＲＦ信号の搬送波レベルに対応したＲＳＳＩ出力と、ルックアップテーブルから読み出された閾値とが比較回路に供給される。そして、前記閾値に対するＲＳＳＩ出力のレベルが比較されて、その比較結果に基づいてミュート回路の動作が選択される。
この場合、この発明に係るワイヤレス受信機においては、温度センサーからの温度情報に基づいて、ルックアップテーブルから適切な閾値が読み出されて、温度特性が加わったＲＳＳＩ出力との比較がなされる。
【００１５】
したがって、前記した構成によると、ルックアップテーブルに格納された温度に応じた閾値によって、ＲＳＳＩ出力の温度特性を相殺することができ、結果として温度に依存しないミュート動作を実現することができる。
これにより、温度の変化に対する受信到達距離（システムの使用可能エリア）の変動を抑制した、安定したミュート動作を保証することができるワイヤレス受信機を提供することができる。
【図面の簡単な説明】
【００１６】
【図１】この発明に係るワイヤレス受信機の例を示したブロック図である。
【図２】図１に示すワイヤレス受信機におけるミュート制御回路の第１の例を示したブロック図である。
【図３】同じくミュート制御回路の第２の例を示したブロック図である。
【図４】図２に示すミュート制御回路の第１の動作例を示したグラフである。
【図５】図２に示すミュート制御回路の第２の動作例を示したグラフである。
【図６】図３に示すミュート制御回路の動作例を示したグラフである。
【図７】ワイヤレス受信機の受信到達距離を比較するグラフである。
【図８】従来のワイヤレス受信機におけるミュート制御回路の動作例を示したグラフである。
【発明を実施するための形態】
【００１７】
この発明に係るワイヤレス受信機について、図に示す実施の形態に基づいて説明する。
なお以下に示す例は、送信機としてのワイヤレスマイクロホンからのＦＭＲＦ信号を受信して、音声信号を復調するワイヤレス受信機であり、図１はこのワイヤレス受信機の全体構成をブロック図で示している。
【００１８】
図１における符号１はＲＦ増幅回路を示し、このＲＦ増幅回路１には図示せぬ受信アンテナからのＲＦ信号が供給される。そして、前記ＲＦ増幅回路１からのＲＦ信号は、第１の周波数変換回路２に供給される。
この第１の周波数変換回路２には、例えばＰＬＬシンセサイザーによる第１ローカル信号発振器（図示せず）からの信号が供給されて、前記ＲＦ信号と第１ローカル信号とにより第１の中間周波信号（第１ＩＦ信号）が生成される。すなわち、ＰＬＬシンセサイザーによる第１ローカル信号の選択により特定の受信周波数に対応した第１中間周波信号が生成されて、中間周波増幅回路３に供給される。
【００１９】
前記中間周波増幅回路３を介した第１ＩＦ信号は、第２の周波数変換回路４に供給される。この第２の周波数変換回路４には、第２ローカル信号発振器（図示せず）からの固定のローカル信号が供給されて、前記第１の中間周波信号（第１ＩＦ信号）と、第２ローカル信号とにより第２の中間周波信号（第２ＩＦ信号）が生成される。すなわちこのワイヤレス受信機は、ダブルスーパヘテロダイン方式を採用している。
【００２０】
前記第２の中間周波信号（第２ＩＦ信号）は、リミッタアンプを備えた復調回路５によって、音声信号に復調され、音声処理回路６を介してミュート回路７に供給される。このミュート回路７は、後述するミュート制御回路９からの制御信号を受けて、復調信号（音声信号）の信号路を開閉する機能を備えている。そしてミュート回路７を介した復調信号は、音声出力端子８に出力される。
一方、前記復調回路５からはＦＭＩＦ信号がミュート制御回路９に供給され、このミュート制御回路９からの制御信号が前記したミュート回路７に供給される。
【００２１】
図２は、図１に示したミュート制御回路９の第１の構成例を示したものである。このミュート制御回路９には、図１に示した復調回路５からのＦＭＩＦ信号を受けて、これをレベル検波するレベル検波回路１１が備えられている。このレベル検波回路１１からのレベル検波出力、すなわちＲＦ信号の搬送波レベルに対応したＲＳＳＩ出力は、コンパレータなどにより構成された比較回路１２の反転入力端子に供給される。
また、前記比較回路１２の非反転入力端子には、ルックアップテーブル１３から読み出された閾値出力（閾値電圧）が供給される。
【００２２】
前記ルックアップテーブル１３は、温度センサーからの温度情報に基づいて、温度情報に対応した閾値電圧を読み出す機能を有している。すなわち、この実施の形態に係る温度センサーには、図２に示すようにサーミスタＴＨが用いられ、このサーミスタＴＨに対して抵抗素子Ｒ１が直列接続されて直流電圧Ｅ１が印加されている。そしてサーミスタＴＨに生ずる直流電圧が温度情報として引き出され、この温度情報はＡ／Ｄコンバータ１４によりデジタル変換されてルックアップテーブル１３に供給される。
【００２３】
ルックアップテーブル１３には、温度ａａ〜ｚｚ℃に対応する閾値電圧ａａ〜ｚｚＶのデータが格納されている。そして、前記比較回路１２は、ルックアップテーブル１３から読み出されたサーミスタＴＨによる温度情報に対応する閾値電圧データがＤ／Ａコンバータ１６により閾値電圧となり、この閾値電圧と前記ＲＳＳＩ出力とを比較する。その結果、ＲＳＳＩ出力が閾値電圧を下回った時に比較出力を発生させて、前記ミュート回路７に対してミュート制御信号として供給する。これにより、前記ミュート回路７は、音声信号の信号路を閉じて、前記音声信号の出力を遮断するように動作する。
【００２４】
図４は、図２に示すミュート制御回路９の動作例を示すものである。すなわち図４において、左縦軸はミュート基準電圧を示し、右縦軸はＲＳＳＩ電圧を示しており、横軸は動作温度を示している。実線ａは温度依存性を有するＲＳＳＩ電圧であり、破線ｂはルックアップテーブル１３から読み出された閾値電圧（ミュート基準電圧）を示している。このとき、実線ａと破線ｂは同じ傾きである。
【００２５】
図４に示されているように、ＲＳＳＩ電圧（実線ａ）の各温度における常温からの温度ドリフト量をΔＶとすると、ミュート基準電圧（破線ｂ）をそのドリフト量と同じΔＶだけ変化するように設定することで、ＲＳＳＩ電圧を示す実線ａに対して、ミュート基準電圧を示す破線ｂは、いずれの温度状態においても常に一定の電位差を備えた状態になされる。
【００２６】
したがって、前記した設定がなされることで、温度変化によってミュート動作が変動することはなく、これにより温度の変化に対する受信到達距離（システムの使用可能エリア）のばらつきを抑制したワイヤレス受信機を提供することができる。
そして、例えばワイヤレスマイクロホン側からのＲＦ信号の送信が停止された場合や、相互変調などの妨害等を受けて、受信周波数電波が抑圧された場合には、ミュート回路７が動作して、聴感上不快な雑音を遮断する正常なミュート動作を保証することができる。
【００２７】
図５は、図２に示すミュート制御回路９の他の動作例を示すものであり、図５における縦軸と横軸の関係はすでに説明した図４に示した例と同様である。
この図５に示す例は、ワイヤレス受信機が利用される実用温度範囲（図５の横軸）を、例えば５段階に分けて、５段階に分けられた温度範囲に対応して、それぞれに閾値電圧（ミュート基準電圧）ｂ１〜ｂ５が設定されている。
したがって、前記した設定によるとルックアップテーブル１３は、小規模のもので足りることになり、データ格納数の大きなルックアップテーブル１３を備えた図４に示す例に比較して、実用上において遜色のない作用効果が得られる。
【００２８】
図６は、ミュート制御回路９の他の動作例を示すものであり、図６における縦軸と横軸の関係はすでに説明した図４に示した例と同様である。
この図６に示す例は、ワイヤレス受信機が利用される実用温度範囲（図６の横軸）を、例えば５段階にわけて、５段階にわけられた温度範囲に対応して、それぞれに閾値電圧（ミュート基準電圧）ｂ１〜ｂ５が設定されている。
ただし、図６に示す閾値ｂ１〜ｂ５は、それぞれ直線状に傾斜する特性を有しており、これらはそれぞれに、ルックアップテーブル１３から読み出された上限と下限の閾値を利用して、線形補間した値を利用するようにしている。実線ａと各閾値ｂ１〜ｂ５は同じ傾きである。
【００２９】
この動作を実現するミュート制御回路９の第２の構成例が、図３に示されている。なお図３に示すブロック構成は、図２に示した構成に対して補間処理１５が追加されており、その他の構成は図２と同一のため、重複する説明は省略する。
すなわち、図３におけるルックアップテーブル１３には、図６に示す各閾値ｂ１〜ｂ５に対応する上限と下限の各閾値データが、５段階の温度範囲ごとに格納されている。例えば、閾値ｂ１について、温度ａ〜ｄ℃に対して上限閾値電圧ａＶと下限閾値電圧ｄＶが格納されている。
【００３０】
そして、サーミスタＴＨを含む温度センサーにより得られる温度範囲に対応して、前記した上限と下限の閾値データが同時に読み出される。この上限と下限の閾値データは、図５に示す補間処理１５において線形補間され、各温度に対応する閾値電圧（ミュート基準電圧）が算出されて、これに相当する閾値が比較回路１２に供給される。
【００３１】
したがって、図３および図６に基づいて説明したミュート制御回路９を用いた場合においてもルックアップテーブル１３は、小規模のもので足りることになり、データ格納数の大きなルックアップテーブル１３を備えた図４に示す例に比較して、実用上において遜色のない作用効果が得られる。
【００３２】
図７はこの発明に係るワイヤレス受信機と従来のワイヤレス受信機について、動作温度と受信到達距離との関係を表したものである。なお図７の縦軸は受信到達距離（使用可能エリア）を示し、横軸は動作温度を示している。
そして特性ａは、図８の特性ａに対応した温度依存性を補正する前のＲＳＳＩの出力を利用する従来のワイヤレス受信機による受信到達距離を示している。また特性ｂは、図８の特性ｂに対応した温度依存性を補正した後のＲＳＳＩの出力を利用する従来のワイヤレス受信機による受信到達距離を示している。
さらに特性ｃは、例えば図４の特性ｂに対応した閾値電圧（ミュート基準電圧）を備えたこの発明に係るワイヤレス受信機の受信到達距離を示している。
【００３３】
従来例として示したワイヤレス受信機によると、特性ａおよびｂに示すように高温域において、受信到達距離が低下する。これは高温域においてＲＳＳＩ電圧が低下して、固定のミュート基準電圧を下回り、ミュート回路が早く動作するためである。
これに対して、この発明に係るワイヤレス受信機によると、特性ｃに示されているように、実用温度範囲内において、受信到達距離にはほとんど変化が見られない。
【００３４】
これは温度情報に基づいて、ルックアップテーブルから適切な閾値電圧（ミュート基準電圧）を読み出し、実質的にＲＳＳＩ出力の温度特性を相殺するように作用させた結果である。これにより、温度変化に対する受信到達距離の変動を抑制し、安定したミュート動作を保証することができるワイヤレス受信機を提供することができる。
【００３５】
なお、前記した実施の形態においては、ワイヤレスマイクロホンからのＲＦ信号を受信復調するワイヤレス受信機に基づいて説明したが、この発明に係るワイヤレス受信機は、ＲＦ信号の送信源が前記した特定なものに限られることなく、ＲＦ信号を受信復調する他のワイヤレス受信機に採用しても、同様の作用効果を得ることができる
また、実施の形態に示すレベル検波回路１１や比較回路１２はデジタル処理による構成に置き換えることもできる。
【符号の説明】
【００３６】
１    ＲＦ増幅回路
２    第１周波数変換回路
３    中間周波増幅回路
４    第２周波数変換回路
５    復調回路
６    音声処理回路
７    ミュート回路
８    音声出力端子
９    ミュート制御回路
１１  レベル検波回路（ＲＳＳＩ生成回路）
１２  比較回路
１３  ルックアップテーブル
１４  Ａ／Ｄコンバータ
１５  補間処理
１６  Ｄ／Ａコンバータ
ＴＨ  温度センサー（サーミスタ）
【図１】
0006564675.tif 000002
【図２】
0006564675.tif 000003
【図３】
0006564675.tif 000004
【図４】
0006564675.tif 000005
【図５】
0006564675.tif 000006
【図６】
0006564675.tif 000007
【図７】
0006564675.tif 000008
【図８】
0006564675.tif 000009